(57)【要約】【課題】秘匿情報に対するユーザーの認識不足を防止するとともに、秘匿情報を一元管理することが可能な画像形成システム１を提供する。【解決手段】複合機１００が、画像データに基づいて画像形成される際に、当該画像形成に対して秘匿モードが設定されたか否かを判定し、前記判定の結果、前記秘匿モードが設定されている場合に、前記サーバーに前記画像データを送信する秘匿モード判定手段４０３を備え、前記サーバー３０１ａが、前記画像データを受信すると、当該画像データ内の文字情報に、前記サーバーの所定のメモリーに予め登録された秘匿情報が存在するか否かを判定する秘匿情報判定手段４０４と、前記判定の結果、前記文字情報に前記秘匿情報が存在する場合に、当該存在した文字情報に秘匿加工を施し、当該秘匿加工された画像データを前記画像形成装置に送信する秘匿情報加工手段４０５とを備える。【選択図】図４
2015088971.tif 000002
【特許請求の範囲】
【請求項１】
ネットワークを介して通信可能に接続されたサーバーと画像形成装置とを備える画像形成システムであって、
前記画像形成装置は、
画像データに基づいて画像形成される際に、当該画像形成に対して秘匿モードが設定されたか否かを判定し、前記判定の結果、前記秘匿モードが設定されている場合に、前記サーバーに前記画像データを送信する秘匿モード判定手段を備え、
前記サーバーは、
前記画像データを受信すると、当該画像データ内の文字情報に、前記サーバーの所定のメモリーに予め登録された秘匿情報が存在するか否かを判定する秘匿情報判定手段と、
前記判定の結果、前記文字情報に前記秘匿情報が存在する場合に、当該存在した文字情報に秘匿加工を施し、当該秘匿加工された画像データを前記画像形成装置に送信する秘匿情報加工手段と
を備える画像形成システム。
【請求項２】
前記画像形成装置は、前記秘匿加工された画像データをユーザーに表示し、ユーザーから、当該画像データに対する新たな秘匿情報の追加・削除を受け付けると、当該秘匿情報の追加・削除に対応して前記画像データを加工する表示受付手段と、
前記加工後の画像データに基づいて画像形成を実行する画像形成手段と
を更に備える
請求項１に記載の画像形成システム。
【請求項３】
表示受付手段は、前記画像形成が完了すると、その旨をサーバーに通知し、
前記サーバーは、
前記通知を受けると、新たな秘匿情報の追加・削除が行われた場合に、当該追加・削除が行われた秘匿情報を、予め登録された管理者用の端末装置に、ネットワークを介して通知し、前記管理者用の端末装置から、前記追加・削除が行われた秘匿情報の登録を受け付けると、当該追加・削除が行われた秘匿情報を、前記サーバーのメモリーに登録設定する秘匿情報管理手段を更に備える
請求項２に記載の画像形成システム。
【請求項４】
ネットワークを介して通信可能に接続されたサーバーと画像形成装置とを備える画像形成システムの画像形成方法であって、
前記画像形成装置は、
画像データに基づいて画像形成される際に、当該画像形成に対して秘匿モードが設定されたか否かを判定し、前記判定の結果、前記秘匿モードが設定されている場合に、前記サーバーに前記画像データを送信する秘匿モード判定ステップを備え、
前記サーバーは、
前記画像データを受信すると、当該画像データ内の文字情報に、前記サーバーの所定のメモリーに予め登録された秘匿情報が存在するか否かを判定する秘匿情報判定ステップと、
前記判定の結果、前記文字情報に前記秘匿情報が存在する場合に、当該存在した文字情報に秘匿加工を施し、当該秘匿加工された画像データを前記画像形成装置に送信する秘匿情報加工ステップと
を備える画像形成方法。
【発明の詳細な説明】
【技術分野】
【０００１】
本発明は、画像形成システム及び画像形成方法に関し、詳しくは、秘匿情報に対するユーザーの認識不足を防止するとともに、秘匿情報を一元管理することが可能な画像形成システム及び画像形成方法に関する。
【背景技術】
【０００２】
従来より、秘匿情報に関する技術は、数多く存在する。例えば、特開２００６−１７４１７２号公報（特許文献１）には、予め印刷された印刷物の秘匿情報に黒塗りで塗り潰して黒塗り部分を付与して出力する技術が開示されている。
【０００３】
又、特開２００７−１７４１０２号公報（特許文献２）には、文書の機密レベルにより警告レベルを切り替える技術が開示されている。
【０００４】
又、特開２００７−２５３５０７号公報（特許文献３）には、機密保持のために、シュレッダーによる廃棄でなく、機密文書上の文面を復元不可能な機密保持とする技術が開示されている。
【０００５】
又、特開２００９−９８０号公報（特許文献４）には、文書を保存する際に、秘密情報の公開範囲を、ユーザーに応じて変更する技術が開示されている。
【０００６】
又、特開２００９−６９４５３号公報（特許文献５）には、印刷してから所定時間を経過している記録用紙の印刷面のみを黒塗りする技術が開示されている。
【０００７】
又、特開２０１１−６２８１９号公報（特許文献６）には、塗り潰しパターンをランダムなパターンとして、低コストで、容易に、判読性を落とす技術が開示されている。
【０００８】
又、特開２００８−２３４４４１号公報（特許文献７）には、印刷ジョブ名に含まれる機密情報の漏洩を効率よく行う技術が開示されている。
【先行技術文献】
【特許文献】
【０００９】
【特許文献１】特開２００６−１７４１７２号公報
【特許文献２】特開２００７−１７４１０２号公報
【特許文献３】特開２００７−２５３５０７号公報
【特許文献４】特開２００９−９８０号公報
【特許文献５】特開２００９−６９４５３号公報
【特許文献６】特開２０１１−６２８１９号公報
【特許文献７】特開２００８−２３４４４１号公報
【発明の概要】
【発明が解決しようとする課題】
【００１０】
しかしながら、特許文献１に記載の技術は、予め印字された文書に対する秘密保持の技術である。又、特許文献２に記載の技術では、不正コピーを防止するための技術である。又、特許文献３に記載の技術では、機密文書を廃棄する前に黒塗りする技術である。又、特許文献４に記載の技術では、秘密情報の公開範囲がユーザーに委ねられているため、確実な機密情報の漏洩を防止出来ない。又、特許文献５に記載の技術では、印刷面の時刻データを読み取って処理する技術である。又、特許文献６に記載の技術では、パターンを工夫する技術である。又、特許文献７に記載の技術では、予め所定の許可キーワードを登録しておき、それに基づいて合致しない箇所を全て伏字にする技術である。
【００１１】
ところで、秘匿情報について、各ユーザー毎に認識が共通していないことが一般的であり、例えば、一方のユーザーＡにとって所定の情報は秘匿情報と認識されるものの、他方のユーザーＢにとって同一の情報は秘匿情報でないと認識される場合がある。その場合、ユーザーによって、秘匿情報が統一されない印刷物が生じるという問題がある。特に、一つの会社（組織）において、社外に開示する印刷物では、秘匿情報の統一がセキュリティーの観点で特に大きな問題となる。上述の特許文献１−７に記載の技術では、その問題を解決することが出来ない。
【００１２】
そこで、本発明は、前記問題を解決するためになされたものであり、秘匿情報に対するユーザーの認識不足を防止するとともに、秘匿情報を一元管理することが可能な画像形成システム及び画像形成方法を提供することを目的とする。
【課題を解決するための手段】
【００１３】
上述した課題を解決し、目的を達成するために、本発明に係る画像形成システムは、ネットワークを介して通信可能に接続されたサーバーと画像形成装置とを備える画像形成システムであって、以下の構成を採用する。
【００１４】
即ち、前記画像形成装置は、画像データに基づいて画像形成される際に、当該画像形成に対して秘匿モードが設定されたか否かを判定し、前記判定の結果、前記秘匿モードが設定されている場合に、前記サーバーに前記画像データを送信する秘匿モード判定手段を備え、前記サーバーは、前記画像データを受信すると、当該画像データ内の文字情報に、前記サーバーの所定のメモリーに予め登録された秘匿情報が存在するか否かを判定する秘匿情報判定手段と、前記判定の結果、前記文字情報に前記秘匿情報が存在する場合に、当該存在した文字情報に秘匿加工を施し、当該秘匿加工された画像データを前記画像形成装置に送信する秘匿情報加工手段とを備える。
【００１５】
又、前記画像形成装置は、前記秘匿加工された画像データをユーザーに表示し、ユーザーから、当該画像データに対する新たな秘匿情報の追加・削除を受け付けると、当該秘匿情報の追加・削除に対応して前記画像データを加工する表示受付手段と、前記加工後の画像データに基づいて画像形成を実行する画像形成手段とを更に備える。
【００１６】
又、表示受付手段は、前記画像形成が完了すると、その旨をサーバーに通知し、前記サーバーは、前記通知を受けると、新たな秘匿情報の追加・削除が行われた場合に、当該追加・削除が行われた秘匿情報を、予め登録された管理者用の端末装置に、ネットワークを介して通知し、前記管理者用の端末装置から、前記追加・削除が行われた秘匿情報の登録を受け付けると、当該追加・削除が行われた秘匿情報を、前記サーバーのメモリーに登録設定する秘匿情報管理手段を更に備える。
【００１７】
又、本発明は、ネットワークを介して通信可能に接続されたサーバーと画像形成装置とを備える画像形成システムの画像形成方法として提供することが出来る。
【００１８】
即ち、前記画像形成装置は、画像データに基づいて画像形成される際に、当該画像形成に対して秘匿モードが設定されたか否かを判定し、前記判定の結果、前記秘匿モードが設定されている場合に、前記サーバーに前記画像データを送信する秘匿モード判定ステップを備え、前記サーバーは、前記画像データを受信すると、当該画像データ内の文字情報に、前記サーバーの所定のメモリーに予め登録された秘匿情報が存在するか否かを判定する秘匿情報判定ステップと、前記判定の結果、前記文字情報に前記秘匿情報が存在する場合に、当該存在した文字情報に秘匿加工を施し、当該秘匿加工された画像データを前記画像形成装置に送信する秘匿情報加工ステップとを備える。このような構成であっても、上述と同様の効果を得ることが可能となる。
【００１９】
又、本発明は、電気通信回線などを介して個別に流通する、コンピュータに実行させるためのプログラムとして提供することができる。この場合、中央演算処理装置（ＣＰＵ）が、本発明のプログラムに従ってＣＰＵ以外の各回路と協働して制御動作を実現する。又、前記プログラム及びＣＰＵを用いて実現される各手段は、専用のハードウェアを用いて構成することもできる。又、当該プログラムは、ＣＤ−ＲＯＭなどのコンピュータ読み取り可能な記録媒体に記録された状態で流通させることも可能である。
【発明の効果】
【００２０】
本発明の画像形成システム及び画像形成方法によれば、秘匿情報に対するユーザーの認識不足を防止するとともに、秘匿情報を一元管理することが可能となる。
【図面の簡単な説明】
【００２１】
【図１】本発明に係る画像形成システムの全体構成を示す概念図である。
【図２】本発明に係る複合機の操作部の全体構成を示す概念図である。
【図３】本発明に係る画像形成システムの制御系ハードウェアの構成を示す図である。
【図４】本発明の実施形態における画像形成システムの機能ブロック図である。
【図５】本発明の実施形態の実行手順を示すためのフローチャートである。
【図６】本発明の実施形態のタッチパネル上に表示された操作画面の一例を示す図（図６（Ａ））と、本発明の実施形態の秘匿情報の照合処理とテーブルの一例を示す図（図６（Ｂ））である。
【図７】本発明の実施形態のタッチパネル上に表示された秘匿情報加工画面の一例を示す図（図７（Ａ））と、本発明の実施形態の管理者用の端末装置に表示された追加削除登録画面の一例を示す図（図７（Ｂ））である。
【発明を実施するための形態】
【００２２】
以下に、添付図面を参照して、本発明の画像形成システムの実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００２３】
＜画像形成システム＞
以下に、本発明の実施形態に係る画像形成システムについて説明する。図１は、本発明に係る画像形成システムの全体構成を示す概念図である。但し、本発明に直接には関係しない各部の詳細は省略している。
【００２４】
本発明の画像形成システム１は、ネットワーク３００を介して通信可能に接続されたサーバー３０１ａと画像形成装置１００とを備えている。又、ネットワーク３００は、他の端末装置３０１ｂとも通信可能に接続される。
【００２５】
ここで、本発明の画像形成装置１００は、例えば、プリンタやスキャナ単体、あるいはプリンタ、コピー、スキャナ、ファックス等を備えた複合機等が該当し、コピー機能、スキャナ機能、ファクシミリ機能、プリンタ機能等を備えた画像形成装置として機能する。
【００２６】
以下に、例えば、コピー機能を利用する場合の複合機１００（ＭＦＰ：Ｍｕｌｔｉ  Ｆｕｎｃｔｉｏｎ  Ｐｅｒｉｐｈｅｒａｌ）の動作を簡単に説明する。
【００２７】
先ず、ユーザーが複合機１００を利用する場合、原稿を筐体部の上面に備えられている原稿台１０１に載置する。続いて、ユーザーは、前記原稿台１０１近傍に備えられている操作部１０２（操作パネル）を操作して、画像形成に関する設定条件の入力を当該操作部１０２の操作画面から入力する。そして、ユーザーが、前記操作部１０２に設けられたスタートキーを押下すると、複合機１００が画像形成（印刷処理）を開始する。
【００２８】
次に、画像読取部１０３において、光源１０４から照射された光が、前記原稿台１０１に置かれた原稿に反射される。反射された光は、ミラー１０５、１０６、１０７によって撮像素子１０８に導かれる。導かれた光は前記撮像素子１０８により光電変換されて、前記原稿に対応する画像データが生成される。
【００２９】
ここで、前記生成された画像データは、通信部２００により、ネットワーク３００を介して接続されたサーバー３０１ａに送信され、当該サーバー３０１ａで所定の処理がされて、返信される。
【００３０】
さて、前記画像データに基づいてトナー像を形成する部分が画像形成部１０９である。前記画像形成部１０９には感光体ドラム１１０が備えられている。前記感光体ドラム１１０は、一定速度で所定の方向に回転し、その周囲には、回転方向の上流側から順に、帯電器１１１、露光ユニット１１２、現像器１１３、転写器１１４、クリーニングユニット１１５などが配置されている。
【００３１】
前記帯電器１１１は、前記感光体ドラム１１０表面を一様に帯電させる。前記露光ユニット１１２は、帯電された感光体ドラム１１０の表面に、前記画像データに基づいてレーザーを照射し、静電潜像を形成する。前記現像器１１４は、形成された静電潜像に、トナーを付着させてトナー像を形成する。形成されたトナー像は、前記転写器１１４により、記録媒体（例えば、用紙、シート）に転写される。前記クリーニングユニット１１５は、前記感光体ドラム１１０の表面に残された余分なトナーを取り除く。これらの一連のプロセスは、前記感光体ドラム１１０が回転することにより実行される。
【００３２】
前記シートは、複合機１００に備えられた複数の給紙カセット１１６から搬送される。搬送される時は、前記シートは、ピックアップローラ１１７により何れか１つの給紙カセット１１６から搬送路へ引き出される。各給紙カセット１１６には、それぞれ異なる紙種のシートが収容されており、画像形成に関する設定条件に基づいてシートが給紙される。
【００３３】
搬送路に引き出されたシートは、搬送ローラ１１８やレジストローラ１１９により感光体ドラム１１０と転写器１１４の間に送り込まれる。送り込まれると、前記シートは前記転写器１１４により前記トナー像が転写され、定着装置１２０に搬送される。
【００３４】
前記トナー像が転写されたシートが、前記定着装置１２０に備えられた加熱ローラと加圧ローラの間を通過すると、前記トナー像に熱と圧力が印加されて、可視像がシートに定着される。前記加熱ローラの熱量は、紙種に応じて最適に設定され、前記定着が適切に行われる。前記可視像がシートに定着されて画像形成が終了し、当該シートは搬送ローラ１１８により、経路切替部１２１へ導かれる。
【００３５】
前記経路切替部１２１では、前記複合機１００による切り替え指示により、前記シートを、前記筐体部の側面に設けられた排紙トレイ１２２へ案内したり、排紙口１２３を介して、前記筐体部の胴内に設けられた胴内トレイ１２４へ案内したりする。前記シートは、前記排紙トレイ１２２か胴内トレイ１２４に積載され、収容される。前記手順により、複合機１００の筐体部はコピー機能をユーザーに提供する。
【００３６】
ところで、例えば、前記ネットワーク３００に通信可能に接続された端末装置から画像形成ジョブとして画像データが送信された場合、複合機１００は、所定の設定に応じて、前記通信部２００により、前記画像データをサーバー３０１ａに送信することになる。
【００３７】
図２は、本発明に係る複合機の操作部の全体構成を示す概念図である。ユーザーは、前記操作部１０２を用いて、上述のような画像形成についての設定条件を入力したり、入力された設定条件を確認したりする。前記設定条件が入力される場合、前記操作部１０２に備えられたタッチパネル２０１（操作パネル）、タッチペン２０２、操作キー２０３が用いられる。
【００３８】
前記タッチパネル２０１には、設定条件を入力する機能と当該設定条件を表示する機能が兼ね備えられている。即ち、タッチパネル２０１上に表示された画面内のキーを押下することによって、当該押下されたキーに対応する設定条件が入力される。
【００３９】
前記タッチパネル２０１の背面には、ＬＣＤ（Ｌｉｑｕｉｄ  Ｃｒｙｓｔａｌ  Ｄｉｓｐｌａｙ）等の表示部（図示せず）が設けられており、当該表示部が、例えば、前記初期画面等の操作画面を表示する。前記タッチパネル２０１の近傍には、タッチペン２０２が備えられており、ユーザーがそのタッチペン２０２の先をタッチパネル２０１に接触させると、タッチパネル２０１下に設けられたセンサーが接触先を検知する。
【００４０】
更に、前記タッチパネル２０１近傍には、所定数の操作キー２０３が設けられ、例えば、テンキー２０４、スタートキー２０５、クリアキー２０６、ストップキー２０７、リセットキー２０８、電源キー２０９が備えられている。
【００４１】
次に、図３を用いて、複合機１００の制御系ハードウェアの構成を説明する。図３は、本発明に係る画像形成システムの制御系ハードウェアの構成を示す図である。ただし、本発明に直接には関係しない各部の詳細は省略している。
【００４２】
画像形成システム１の複合機１００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５、操作部１０２、通信部２００を内部バス３０８によって接続している。
【００４３】
前記ＣＰＵ３０１は、例えば、ＲＡＭ３０３を作業領域として利用し、前記ＲＯＭ３０２、ＨＤＤ３０４等に記憶されているプログラムを実行し、当該実行結果に基づいて前記ドライバ３０５、前記操作部１０２、前記通信部２００からのデータや指示、キーに対応する信号、命令等を授受し、前記図１に示した各駆動部の動作を制御する。又、前記通信部２００は、ネットワーク３００を介してサーバー３０１ａ、所定の端末装置３０１ｂと接続しており、前記ＣＰＵ３０１は、前記通信部２００を介して前記サーバー３０１ａ、端末装置３０１ｂにデータを送信する。
【００４４】
又、前記駆動部以外の後述する各手段（図４に示す）についても、前記ＣＰＵ３０１がプログラムを実行することで当該各手段を実現する。前記ＲＯＭ３０２、ＨＤＤ３０４等には、以下に説明する各手段を実現するプログラムやデータが記憶されている。
【００４５】
又、前記サーバー３０１ａ、端末装置３０１ｂには、前記複合機１００の制御回路と同様に、図示しないＣＰＵ、ＲＡＭ、ＲＯＭ、操作部（キーボード、マウス等のインターフェイス）等を搭載しており、これらは、上述と同様の機能を有する。
【００４６】
＜本発明の実施形態＞
次に、図４、図５を参照しながら、本発明の実施形態に係る構成及び実行手順について説明する。図４は、本発明の複合機の機能ブロック図である。又、図５は、本発明の実行手順を示すためのフローチャートである。
【００４７】
先ず、ユーザーが、原稿を原稿台１０１に載置して、複合機１００の電源を投入すると、当該複合機１００が起動し、表示受付手段４０１がタッチパネル２０１上に操作画面（初期画面）を表示する（図５：Ｓ１０１）。
【００４８】
前記初期画面６００には、図６（Ａ）に示すように、所定のメッセージ「コピーできます。」６０１が表示されるとともに、コピー機能等の設定条件を入力するための機能項目キー６０２と、画像形成（印刷）する際に秘匿情報に秘匿加工を施すための秘匿モードキー６０３とが押下可能に表示される。ここで、秘匿加工とは、秘匿情報を視認出来なくするための加工であり、例えば、黒塗り加工、白抜き加工、視認不可のパターン付加加工等を挙げることが出来る。
【００４９】
例えば、ユーザーが、原稿の内容のうち、秘匿情報に秘匿加工を施して、印刷物を得たい場合、例えば、原稿の印刷物を社外のユーザーに配布したいと考えて、前記秘匿モードキー６０３を押下すると、表示受付手段４０１が、当該秘匿モードキー６０３の押下を受け付けて、秘匿モードを設定し、当該秘匿モードキー６０３の背景色を他の色（例えば、グレー色）に変更する。
【００５０】
そして、ユーザーが、前記機能項目キー６０２を押下して、所望の設定条件を入力し、スタートキー２０５を押下すると、表示受付手段４０１は、当該スタートキー２０５の押下を受け付けて、その旨を画像読取手段４０２に通知する。当該通知を受けた画像読取手段４０２は、前記設定条件のうち、画像読取に関する条件に基づいて、前記原稿台１０１の原稿から画像データを読み取る（図５：Ｓ１０２）。
【００５１】
画像読取手段４０２が原稿の画像データの読み取りを完了すると、その旨を秘匿モード判定手段４０３に通知し、当該通知を受けた秘匿モード判定手段４０３は、前記画像データに基づいて画像形成される際に、当該画像形成に対して前記秘匿モードが設定されたか否かを判定する（図５：Ｓ１０３）。
【００５２】
前記判定の結果、前記秘匿モードが設定されている場合に（図５：Ｓ１０３ＹＥＳ）、秘匿モード判定手段４０３は、前記画像データに秘匿加工を施す必要があると判定し、ネットワーク３００を介して、サーバー３０１ａの秘匿情報判定手段４０４に、前記画像データを送信する。
【００５３】
ここで、複合機１００に光学文字認識（ＯＣＲ）処理を行う機能がある場合には、秘匿モード判定手段４０３は、前記画像データに光学文字認識処理を施した上で、サーバー３０１ａの秘匿情報判定手段４０４に当該画像データを送信することになる。前記光学文字認識処理を行えない場合には、秘匿モード判定手段４０３は、そのまま画像データを送信する。
【００５４】
前記画像データを受信した秘匿情報判定手段４０４は、当該画像データ内の文字情報に、前記サーバー３０１ａの所定のメモリーに予め登録されている秘匿情報が存在するか否かを判定する（図５：Ｓ１０４）。
【００５５】
ここで、秘匿情報判定手段４０４が、前記画像データ内の文字情報に前記秘匿情報が存在するか否かを判定する方法は、どのような方法でも構わないが、例えば、以下のようになされる。
【００５６】
即ち、図６（Ｂ）に示すように、秘匿情報判定手段４０４は、サーバー３０１ａの所定のメモリーに予め登録されているテーブル６０４から一の秘匿情報６０４ａ（例えば、「桃」）を参照し、当該参照した秘匿情報６０４ａと、前記画像データ６０５の文字情報６０５ａとを照合して、前記秘匿情報６０４ａに一致する文字情報６０５ａが存在するか否かを判定する。
【００５７】
ここで、前記秘匿情報６０４ａは、会社等の組織内で共通で使用される情報であって、社外に開示したくない情報であるのが好ましい。
【００５８】
又、秘匿情報判定手段４０４は、前記画像データ６０５の文字情報６０５ａの照合を開始する際に、例えば、当該画像データ６０５が単なる画像データであって、光学文字認識処理がされていない場合は、前記照合処理自体が出来ない。そのため、例えば、秘匿情報判定手段４０４は、前記照合処理をする前に、例えば、前記画像データ６０５に光学文字認識処理を施して、文字情報６０５ａを認識可能な状態にしておくのが好ましい。
【００５９】
前記判定の結果、前記秘匿情報６０４ａに一致する文字情報６０５ａが存在する場合に（図５：Ｓ１０４ＹＥＳ）、秘匿情報判定手段４０４は、その旨を秘匿情報加工手段４０５に通知し、当該通知を受けた秘匿情報加工手段４０５は、前記存在した文字情報６０５ａに所定の黒塗りパターン６０５ｂを施して秘匿加工を施す（図５：Ｓ１０５）。
【００６０】
ここで、秘匿情報加工手段４０５が施す秘匿加工は、黒塗りパターン６０５ｂに限らず、例えば、文字情報を削除する白抜き加工、視認不可のパターン付加加工等でも構わない。
【００６１】
このように、サーバー３０１ａに登録された秘匿情報６０４ａに基づいて秘匿加工を施すため、秘匿情報６０４ａを一元管理することが可能となる。又、例えば、複数のユーザーが、秘匿加工を各ユーザー毎にすると、秘匿情報に対するユーザーの認識不足で、秘匿すべき秘匿情報に秘匿加工をし忘れるという問題が生じる。本発明では、サーバー３０１ａに画像データをわざわざ送信して、サーバー３０１ａで秘匿加工をさせるため、そのようなユーザーの認識不足による秘匿加工のし忘れを確実に防止することが出来る。
【００６２】
又、秘匿情報６０４ａに対する秘匿加工がサーバー３０１ａで実行されるため、ユーザーが実行するよりも、効率的であり、正確にすることが可能となる。
【００６３】
さて、秘匿情報加工手段４０５が、一の秘匿情報６０４ａに対する文字情報６０５ａの秘匿加工を完了すると、その旨を秘匿情報判定手段４０４に通知し、当該通知を受けた秘匿情報判定手段４０４は、前記テーブル６０４を参照して、全ての秘匿情報について判定処理をしたか否かを判定する（図５：Ｓ１０６）。
【００６４】
尚、Ｓ１０４において、前記判定の結果、前記秘匿情報６０４ａに一致する文字情報６０５ａが存在しない場合（図５：Ｓ１０４ＮＯ）、秘匿情報判定手段４０４は、全ての秘匿情報について判定処理をしたか否かを判定する（図５：Ｓ１０６）。
【００６５】
前記テーブル６０４には、他の秘匿情報６０４ｂ（例えば、「おじいさん」）が存在するため、前記判定の結果、全ての秘匿情報について判定処理をしていない場合に（図５：Ｓ１０６ＮＯ）、秘匿情報判定手段４０４は、Ｓ１０４に戻り、先ほどと異なる新たな秘匿情報６０４ｂを参照し、前記画像データ６０５内の文字情報６０５ａに、当該参照した秘匿情報６０４ｂが存在するか否かを判定する（図５：Ｓ１０４）。このような判定処理を繰り返すことで、前記テーブル６０４に登録された秘匿情報を全て判定処理する。
【００６６】
一方、Ｓ１０６において、前記判定の結果、全ての秘匿情報について判定処理をしている場合に（図５：Ｓ１０６ＹＥＳ）、秘匿情報判定手段４０４は、その旨を秘匿情報加工手段４０５に通知し、当該通知を受けた秘匿情報加工手段４０５は、ネットワーク３００を介して、複合機１００の表示受付手段４０１に、前記秘匿加工された画像データを送信する。前記画像データを受信した表示受付手段４０１は、前記秘匿加工された画像データを、秘匿情報加工画面７００を介して表示する。
【００６７】
前記秘匿情報加工画面７００には、図７（Ａ）に示すように、所定のメッセージ「秘匿モード」７０１と、所定の指示事項「秘匿情報を追加／削除したい場合は、文字情報を選択して下さい。」７０２と、前記秘匿加工された画像データ７０３（プレビュー画像データ）と、秘匿加工された秘匿情報７０４（「桃」、「おじいさん」）と、印刷するための印刷キー７０５と、キャンセルキー７０６とが表示される。
【００６８】
これにより、ユーザーは、画像データから自分で秘匿情報を探し出して秘匿加工を施すことなく、秘匿加工された画像データを自動的に手に入れることが可能となる。
【００６９】
ここで、ユーザーは、前記画像データ７０３を見ながら、所定の文字情報（例えば、「おばあさん」）を新たな秘匿情報として追加したいと考え、当該文字情報７０３ａをタッチパネル２０１上で選択（指定）すると、表示受付手段４０１が、当該選択された文字情報７０３ａ（「おばあさん」）を秘匿情報として受け付けて、当該秘匿情報を追加し、前記画像データ７０３から、新たに受け付けた秘匿情報（「おばあさん」）に対応する文字情報７０３ａの全てに所定の黒塗りパターン７０３ｂを施して秘匿加工する（図５：Ｓ１０８）。
【００７０】
これにより、サーバー３０１ａに登録されていない秘匿情報であっても、ユーザーが随時指定して秘匿加工することが可能となる。又、秘匿情報の追加を、ユーザーがその場で直に行うことが出来るため、秘匿情報の漏れを確実に防止でき、効率的にすることが可能となる。
【００７１】
又、ユーザーが、新たに文字情報７０３ａを一箇所選択すれば、前記画像データ７０３に含まれる当該文字情報７０３ａを全て秘匿加工されて全てに反映されるため、効率的である。
【００７２】
又、表示受付手段４０１は、前記秘匿情報加工画面７００に前記追加された秘匿情報７０７を表示する。これにより、ユーザーは、自己が選択して追加した秘匿情報７０７を確認することが可能となる。
【００７３】
一方、秘匿情報を削除する場合は、ユーザーが、前記秘匿情報加工画面７００の秘匿加工された秘匿情報７０４を見ながら、秘匿情報として相応しくない秘匿情報７０４ａ（例えば、「おじいさん」）をタッチパネル２０１上で選択すると、表示受付手段４０１が、当該選択された秘匿情報７０４ａを削除対象として受け付けて、当該秘匿情報７０４ａを削除し、前記画像データ７０３から、選択された秘匿情報７０４ａから黒塗りパターンを解除して、視認可能に加工する（図５：Ｓ１０８）。
【００７４】
これにより、サーバー３０１ａに登録された秘匿情報であっても、ユーザーが随時指定して秘匿情報から削除することが可能となる。
【００７５】
又、表示受付手段４０１は、前記秘匿情報加工画面７００に前記削除された秘匿情報７０４ａを削除する。これにより、ユーザーは、自己が選択して削除した秘匿情報７０４ａを確認することが可能となる。
【００７６】
このように、一度秘匿加工された画像データにユーザーが秘匿情報として追加したり、秘匿情報を削除したりすることが出来ることで、情報過多の時代に則した秘匿加工を実現出来る。
【００７７】
さて、前記画像データ７０３を見ながら、ユーザーは、前記印刷キー７０５を押下すると、表示受付手段４０１は、当該印刷キー７０５の押下を受け付けて、その旨を画像形成手段４０６に通知する。当該通知を受けた画像形成手段４０６は、前記設定条件のうち、画像形成に関する条件と、ユーザーが秘匿情報を追加・削除した画像データとに基づいて画像形成を所定の用紙に実行する（図５：Ｓ１０９）。これにより、ユーザーは、所望の印刷物を手に入れることが可能となる。
【００７８】
画像形成手段４０６が画像形成を完了すると、その旨を表示受付手段４０１に通知し、当該通知を受けた表示受付手段４０１は、当該画像形成に使用された画像データ、つまり、ユーザーが秘匿情報を追加・削除した画像データ（ユーザーが秘匿情報を追加・削除していない場合は、サーバー３０１ａから受信した秘匿加工後の画像データ）を削除し、全て復元不可能とする（図５：Ｓ１１０）。これにより、秘匿情報の漏えいを確実に防止する。
【００７９】
又、表示受付手段４０１は、前記画像形成の完了を、ネットワーク３００を介して、秘匿情報管理手段４０７に通知する。ここで、秘匿加工後の画像データにユーザーが更に秘匿情報の追加・削除を行った場合には、表示受付手段４０１は、行った秘匿情報も秘匿情報管理手段４０７に通知する。当該通知を受けた秘匿情報管理手段４０７は、サーバー３０１ａにある秘匿加工後の画像データを削除し、全て復元不可能とする。これにより、秘匿情報の漏えいを確実に防止する。
【００８０】
又、秘匿情報管理手段４０７は、秘匿加工後の画像データにユーザーが更に秘匿情報の追加・削除を行った場合、当該追加・削除が行われた秘匿情報を、予め登録された管理者用の端末装置３０１ｂ（パーソナルコンピューター）に送信し、当該秘匿情報を通知する（図５：Ｓ１１１）。
【００８１】
前記通知を受けた管理者用端末装置３０１ｂの制御手段４０８は、前記追加・削除が行われた秘匿情報を液晶ディスプレイ上に表示して、管理者に、当該追加・削除が行われた秘匿情報の登録を問い合わせる。
【００８２】
制御手段４０８が、管理者に、前記追加・削除が行われた秘匿情報の登録を問い合わせる方法は、どのような方法でも構わないが、例えば、以下のようになされる。
【００８３】
即ち、制御手段４０８が、前記追加・削除が行われた秘匿情報を受信すると、液晶ディスプレイ上に追加削除登録画面７０８を表示する。
【００８４】
前記追加削除登録画面７０８には、図７（Ｂ）に示すように、所定のメッセージ「秘匿モードで、秘匿情報が追加・削除されました。」７０９と、前記追加・削除が行われた秘匿情報７１０（例えば、「おばあさん」）と、所定の指示事項「追加・削除された秘匿情報を登録しますか。」７１１と、前記追加・削除が行われた秘匿情報７１０を登録するための登録キー７１２と、キャンセルキー７１３とが表示される。
【００８５】
ここで、例えば、管理者が、キーボード、マウス等を用いて、前記キャンセルキー７１３を選択すれば、制御手段４０８が、当該キャンセルキー７１３の選択を受け付けて、その旨を秘匿情報管理手段４０７に通知する。当該通知を受けた秘匿情報管理手段４０７は、前記追加・削除が行われた秘匿情報を登録しないと判定して、当該秘匿情報を削除する。これにより、前記追加・削除が行われた秘匿情報は、この操作を行なったユーザーのみ有効となって印刷物に反映され、他のユーザーにとっては、秘匿情報として登録されずに済むことになる。
【００８６】
一方、管理者が、前記追加・削除が行われた秘匿情報７１０を見ながら、他のユーザーにとっても秘匿情報として必要であると考え、前記登録キー７１２を選択すると、制御手段４０８が、当該登録キー７１２の選択を受け付けて、その旨を秘匿情報管理手段４０７に通知する。当該通知を受けた秘匿情報管理手段４０７は、前記追加・削除が行われた秘匿情報を登録すると判定して、当該追加・削除が行われた秘匿情報を前記サーバー３０１ａのメモリーに登録設定する（図５：Ｓ１１２）。
【００８７】
秘匿情報管理手段４０７が、前記秘匿情報を登録設定する方法は、どのような方法でも構わないが、例えば、前記追加・削除が行われた秘匿情報に対応して前記テーブル６０４を書き換える。ここで、秘匿情報（「おばあさん」）が追加された場合には、秘匿情報管理手段４０７が、前記テーブル６０４に、新たな秘匿情報（「おばあさん」）を追加する。一方、秘匿情報（「おじいさん」）が削除された場合には、秘匿情報管理手段４０７が、前記テーブル６０４から削除対象の秘匿情報（「おじいさん」）を削除する。これにより、管理者の権限により、秘匿情報を追加・削除することが可能となる。又、管理者が、前記追加・削除が行われた秘匿情報を精査し、検討して、サーバー３０１ａに登録させることが可能となる。
【００８８】
ところで、Ｓ１０３において、前記判定の結果、前記秘匿モードが設定されていない場合に（図５：Ｓ１０３ＮＯ）、秘匿モード判定手段４０３は、前記画像データに秘匿加工を施す必要がないと判定し、その旨を画像形成手段４０６に通知する。当該通知を受けた画像形成手段４０６は、前記読み取った画像データをそのまま利用して、前記設定条件のうち、画像形成に関する条件に基づいて画像形成を所定の用紙に実行する（図５：Ｓ１１３）。これにより、ユーザーは、秘匿加工されていない印刷物を手に入れることが可能となる。
【００８９】
このように、本発明では、複合機１００が、画像データに基づいて画像形成される際に、当該画像形成に対して秘匿モードが設定されたか否かを判定し、前記判定の結果、前記秘匿モードが設定されている場合に、前記サーバーに前記画像データを送信する秘匿モード判定手段４０３を備え、前記サーバー３０１ａが、前記画像データを受信すると、当該画像データ内の文字情報に、前記サーバーの所定のメモリーに予め登録された秘匿情報が存在するか否かを判定する秘匿情報判定手段４０４と、前記判定の結果、前記文字情報に前記秘匿情報が存在する場合に、当該存在した文字情報に秘匿加工を施し、当該秘匿加工された画像データを前記画像形成装置に送信する秘匿情報加工手段４０５とを備える。これにより、秘匿情報に対するユーザーの認識不足を防止するとともに、秘匿情報を一元管理することが可能となる。
【００９０】
尚、本発明の実施形態では、サーバー３０１ａには、特にアクセス制限を設けていないが、秘匿情報を取り扱う性質上、ネットワーク３００に通信可能に接続された特定の端末装置のみ、前記サーバー３０１ａにアクセスすることが出来て、他の端末装置は、前記サーバー３０１ａにアクセスすることが出来ないように構成出来る。
【００９１】
又、本発明の実施形態では、ユーザーが複合機１００に赴いて、原稿台１０１に原稿を載置して、複合機１００で画像データの読み取りを実施し、その後に、秘匿モード判定手段４０３が起動するよう構成したが、他の構成でも良い。例えば、ユーザーが、ネットワーク３００に通信可能に接続された端末装置で、画像データを付与した画像形成ジョブ（印刷ジョブ）を作成し、その画像形成ジョブをネットワーク３００を介して複合機１００に送信した場合に、当該画像形成ジョブを受信した後に、秘匿モード判定手段４０３が起動するよう構成してもよい。その場合は、例えば、ユーザーが、端末装置で、画像形成ジョブに対して予め秘匿モードを設定するよう構成される。又、その場合は、秘匿加工後の画像データが表示される際には、例えば、表示受付手段４０１が、ネットワーク３００を介して、前記端末装置に、秘匿情報加工画面を表示させるように構成される。
【００９２】
又、本発明の実施形態では、画像形成システム１の複合機１００とサーバー３０１ａが各手段を備えるよう構成したが、当該各手段を実現するプログラムを記憶媒体に記憶させ、当該記憶媒体を提供するよう構成しても構わない。当該構成では、前記プログラムを複合機１００とサーバー３０１ａに読み出させ、当該複合機１００とサーバー３０１ａが前記各手段を実現する。その場合、前記記録媒体から読み出されたプログラム自体が本発明の作用効果を奏する。更に、各手段が実行するステップをハードディスクに記憶させる方法として提供することも可能である。
【産業上の利用可能性】
【００９３】
以上のように、本発明に係る画像形成システム及び画像形成方法は、複合機はもちろん、複写機、プリンタ等とサーバーとを接続した画像形成システムに有用であり、秘匿情報に対するユーザーの認識不足を防止するとともに、秘匿情報を一元管理することが可能な画像形成システム及び画像形成方法として有効である。
【符号の説明】
【００９４】
１  画像形成システム
１００  複合機
１０２  操作部
３００  ネットワーク
３０１ａ  サーバー
４０１  表示受付手段
４０２  画像読取手段
４０３  秘匿モード判定手段
４０４  秘匿情報判定手段
４０５  秘匿情報加工手段
４０６  画像形成手段
４０７  秘匿情報管理手段
４０８  制御手段
【図１】
2015088971.tif 000003
【図２】
2015088971.tif 000004
【図３】
2015088971.tif 000005
【図４】
2015088971.tif 000006
【図５】
2015088971.tif 000007
【図６】
2015088971.tif 000008
【図７】
2015088971.tif 000009